(57)【要約】【課題】液晶ディスプレイとして使用する時と、スキャナとして使用する時のそれぞれにおいて適切な光量を得ることができ、かつ、液晶ディスプレイとスキャナを同時に使用することが出来るスキャナ付き液晶ディスプレイを提供する。【解決手段】液晶表示パネル３と、導光板４と、発光部５と、イメージセンサ６と、ケース２と、有するスキャナ付き液晶ディスプレイ１において、導光板４が、表示兼スキャナ用導光領域４ａおよび表示用導光領域４ｂから構成されているとともに、二つの領域の境界は、互いの領域に入射した光が影響するが少なくなる分割部４ｃが形成されており、複数の発光部５を表示兼スキャナ用発光部５ａおよび表示用発光部５ｂに分割してそれぞれ個別に発光制御する制御部１１と、を有し、液晶表示パネル３の表示兼スキャナ用導光領域４ａに対応する領域３ａを黒ベタ表示にして表示兼スキャナ用発光部５ａの光が漏れ出さないようにする。【選択図】図２
2012161008.tif 000002
【特許請求の範囲】
【請求項１】
液晶表示パネルと、前記液晶表示パネルの背面に設けられた導光板と、前記導光板の背面に設けられた複数の発光部と、前記導光板の一端面に配設されたイメージセンサと、前記液晶表示パネル、前記導光板、前記発光部および前記イメージセンサを収容するとともに前記イメージセンサで読み取られる原稿を挿入する挿入口および前記原稿を排出する排出口が設けられているケースと、を有するスキャナ付き液晶ディスプレイにおいて、
（イ）前記導光板が、前記イメージセンサが配設された前記一端面を含む第一の領域および前記第一の領域以外の第二の領域から構成され、
（ロ）前記二つの領域の境界には、互いの領域に入射した光の影響を少なくする分割部が設けられ、
（ハ）前記複数の発光部として、前記導光板の前記第一の領域および前記第二の領域にそれぞれ対応する位置に第一発光部および第二発光部が設けられ、
（ニ）前記第一発光部および前記第二発光部がそれぞれ個別に発光制御する発光制御部が設けられ、
（ホ）前記導光板の前記第一の領域に対応する領域から前記第一発光部の光が漏れ出さないようにする遮光手段が、前記液晶表示パネルまたは前記液晶表示パネルの前面に設けられている
ことを特徴とするスキャナ付き液晶ディスプレイ。
【請求項２】
前記液晶表示パネルの表示範囲や表示領域の分割などの表示形態を制御する表示制御部がさらに設けられ、かつ、前記遮光手段が、前記イメージセンサ動作時には前記表示制御部によって前記液晶表示パネルの前記第一の領域に対応する領域を黒ベタ表示させるように構成されていることを特徴とする請求項１に記載のスキャナ付き液晶ディスプレイ。
【請求項３】
前記遮光手段が、前記イメージセンサ動作時には前記液晶表示パネルの前記第一の領域に対応する領域の前面に移動可能とされている遮光板で構成されていることを特徴とする請求項１に記載のスキャナ付き液晶ディスプレイ。
【請求項４】
前記挿入口または前記排出口が、前記液晶表示パネルの前面と同一平面上に設けられ、かつ、前記遮光板が、前記イメージセンサ非動作時には前記挿入口または前記排出口を塞ぐ位置に配置されていることを特徴とする請求項３に記載のスキャナ付き液晶ディスプレイ。
【請求項５】
前記表示制御部が、前記イメージセンサ動作時には、前記液晶表示パネルにおける導光板の前記第二の領域に対応する領域へアスペクト比を固定して表示情報を縮小表示させることを特徴とする請求項２乃至４のうちいずれか一項に記載のスキャナ付き液晶ディスプレイ。
【請求項６】
前記表示制御部が、前記液晶表示パネルにおける前記導光板の前記第二の領域に対応する領域へアスペクト比を固定して表示情報を縮小表示させた際に、当該領域の前記表示情報が表示されている領域以外の領域には前記イメージセンサによるスキャン情報を表示させることを特徴とする請求項５に記載のスキャナ付き液晶ディスプレイ。
【請求項７】
前記表示制御部が、前記イメージセンサ動作時には、前記液晶表示パネルにおける導光板の前記第二の領域に対応する領域全体に表示情報を表示させることを特徴とする請求項２乃至４のうちいずれか一項に記載のスキャナ付き液晶ディスプレイ。
【請求項８】
前記発光部が発する光を受光する光センサ素子が、前記挿入口と前記イメージセンサの間に設けられ、かつ、前記光センサ素子の受光レベルの低下が検知された場合には、前記発光制御部および前記表示制御手段を自動的にスキャナ使用モードに切り替える切替制御部がさらに設けられていることを特徴とする請求項１乃至７のうちいずれか一項に記載のスキャナ付き液晶ディスプレイ。
【発明の詳細な説明】
【技術分野】
【０００１】
本発明は、画像や文書などの原稿を読み取ってイメージデータに変換するスキャナ機能を内蔵した液晶ディスプレイに関する。
【背景技術】
【０００２】
スキャナ内蔵型の液晶ディスプレイの実現においては、液晶モジュールの光源とスキャナモジュールの光源を共有したスキャナ付き液晶ディスプレイが特許文献１によって提案され既に知られている。
【０００３】
特許文献１に記載されたスキャナ付き液晶ディスプレイは、イメージセンサ素子とこれに接するファイバーアレイプレート（ＦＡＰ）からなるイメージセンサ、光源、液晶パネル、および、光源からの光をスキャナ使用時にイメージセンサ素子に供給する機構（拡散板）を有することで、液晶モジュールの薄さを損ねることなく、スキャナ内蔵の液晶モジュールを実現している。
【発明の概要】
【発明が解決しようとする課題】
【０００４】
しかしながら、特許文献１に記載されたスキャナ付き液晶ディスプレイは、薄さを損ねることの無い構成は示されているものの、スキャナと液晶ディスプレイを同時に使用する際に、共用される光源の光量や光らせ方を一方に合わせると、他方では不適切な状態になってしまうという問題があった。即ち、液晶ディスプレイとして使用する時とスキャナとして使用する時とでは光源に求められる光量や光らせ方は異なるため、特にエッジライト系のような単光源からの光を拡散板によって均一に面発光させるような構成においては、スキャナとして使用する際にスキャナ用の光量に調整してしまうと、液晶ディスプレイの表示品質が低下してしまう場合がある。逆に、液晶ディスプレイとして適切な光量のままスキャナを使用すると、スキャナの読み取り品質が低下してしまう場合がある。したがって、特許文献１に記載されたスキャナ付き液晶ディスプレイは、液晶ディスプレイとしての機能とスキャナとしての機能を同時に使用することができないという問題があった。
【０００５】
本発明はかかる問題を解決することを目的としている。
【０００６】
すなわち、本発明は、液晶ディスプレイとして使用する時と、スキャナとして使用する時のそれぞれにおいて適切な光量を得ることができ、液晶ディスプレイとスキャナを同時に使用することが出来るスキャナ付き液晶ディスプレイを提供することを目的としている。
【課題を解決するための手段】
【０００７】
上記課題を解決するためになされた請求項１に記載された発明は、液晶表示パネルと、前記液晶表示パネルの背面に設けられた導光板と、前記導光板の背面に設けられた複数の発光部と、前記導光板の一端面に配設されたイメージセンサと、前記液晶表示パネル、前記導光板、前記発光部および前記イメージセンサを収容するとともに前記イメージセンサで読み取られる原稿を挿入する挿入口および前記原稿を排出する排出口が設けられているケースと、を有するスキャナ付き液晶ディスプレイにおいて、（イ）前記導光板が、前記イメージセンサが配設された前記一端面を含む第一の領域および前記第一の領域以外の第二の領域から構成され、（ロ）前記二つの領域の境界には、互いの領域に入射した光の影響を少なくする分割部が設けられ、（ハ）前記複数の発光部として、前記導光板の前記第一の領域および前記第二の領域にそれぞれ対応する位置に第一発光部および第二発光部が設けられ、（ニ）前記第一発光部および前記第二発光部がそれぞれ個別に発光制御する発光制御部が設けられ、（ホ）前記導光板の前記第一の領域に対応する領域から前記第一発光部の光が漏れ出さないようにする遮光手段が、前記液晶表示パネルの表面または前面に設けられていることを特徴とするスキャナ付き液晶ディスプレイである。
【０００８】
請求項２に記載された発明は、請求項１に記載された発明において、前記液晶表示パネルの表示範囲や表示領域の分割などの表示形態を制御する表示制御部がさらに設けられ、かつ、前記遮光手段が、前記イメージセンサ動作時には前記表示制御部によって前記液晶表示パネルの前記第一の領域に対応する領域を黒ベタ表示させるように構成されていることを特徴とするものである。
【０００９】
請求項３に記載された発明は、請求項１に記載された発明において、前記遮光手段が、前記イメージセンサ動作時には前記液晶表示パネルの前記第一の領域に対応する領域の前面に移動可能とされている遮光板で構成されていることを特徴とするものである。
【００１０】
請求項４に記載された発明は、請求項３に記載された発明において、前記挿入口または前記排出口が、前記液晶表示パネルの前面と同一平面上に設けられ、かつ、前記遮光板が、前記イメージセンサ非動作時には前記挿入口または前記排出口を塞ぐ位置に配置されていることを特徴とするものである。
【００１１】
請求項５に記載された発明は、請求項１乃至４のうちいずれか一項に記載された発明において、前記表示制御部が、前記イメージセンサ動作時には、前記液晶表示パネルにおける導光板の前記第二の領域に対応する領域へアスペクト比を固定して表示情報を縮小表示させることを特徴とするものである。
【００１２】
請求項６に記載された発明は、請求項５に記載された発明において、前記表示制御部が、前記液晶表示パネルにおける前記導光板の前記第二の領域に対応する領域へアスペクト比を固定して表示情報を縮小表示させた際に、当該領域の前記表示情報が表示されている領域以外の領域には前記イメージセンサによるスキャン情報を表示させることを特徴とするものである。
【００１３】
請求項７に記載された発明は、請求項１乃至４のうちいずれか一項に記載された発明において、前記表示制御部が、前記イメージセンサ動作時には、前記液晶表示パネルにおける導光板の前記第二の領域に対応する領域全体に表示情報を表示させることを特徴とするものである。
【００１４】
請求項８に記載された発明は、請求項１乃至７のうちいずれか一項に記載された発明において、前記発光部が発する光を受光する光センサ素子が、前記挿入口と前記イメージセンサの間に設けられており、かつ、前記光センサ素子の受光レベルの低下が検知された場合には、前記発光制御部および前記表示制御手段を自動的にスキャナ使用モードに切り替える切替制御部がさらに設けられていることを特徴とするものである。
【発明の効果】
【００１５】
請求項１に記載の発明によれば、導光板をイメージセンサが設けられている一端面を含む第一の領域と、第一の領域以外の第二の領域の二つの領域に分割して構成し、複数の発光部を二つの領域に合わせてそれぞれ個別に独立して発光させることが可能となっているため、スキャナ（イメージセンサ）使用時には第一の領域に対応する第一発光部をスキャナに合わせた発光制御を行い、それ以外の第二発光部は液晶ディスプレイのバックライトとしての制御を行うことで、それぞれの機能に合わせた適切な光量を得ることができる。また、遮光手段によって、スキャナ用の発光により液晶ディスプレイとして不適切な表示となる可能性のある第一の領域に対応する部分を使用者から見えないようにすることで液晶ディスプレイとしての表示を損なうことが無い。したがって、液晶ディプレイ機能とスキャナ機能とを同時に使用することができる。
【００１６】
請求項２に記載の発明によれば、液晶表示パネルの表示範囲や表示領域の分割などの表示形態を制御する表示制御部が設けられ、かつ、遮光手段が、イメージセンサ動作時には表示制御部によって液晶表示パネルの第一の領域に対応する領域を黒ベタ表示させるようにしているので、追加の部材等が不要で液晶表示パネルの制御のみで遮光手段を構成することができる。
【００１７】
請求項３に記載の発明によれば、遮光手段が、イメージセンサ動作時には液晶表示パネルの第一の領域に対応する領域の前面に移動可能とされている遮光板で構成されているので、不適切な表示となる部分を物理的に隠すことができ、使用者にも当該領域が表示領域で無いことを容易に示すことができる。
【００１８】
請求項４に記載の発明によれば、挿入口または排出口が液晶表示パネルの前面と同一平面上に設けられ、かつ、遮光板が、イメージセンサ非動作時には挿入口または排出口を塞ぐ位置に配置されているので、遮光版が、挿入口または排出口を塞ぐ蓋の機能も兼ねることができる。
【００１９】
請求項５に記載の発明によれば、表示制御部が、イメージセンサ使用時には、液晶表示パネルにおける導光板の第二の領域に対応する領域へアスペクト比を固定して表示情報を縮小表示させるので、イメージセンサ動作時、つまりスキャナ使用時に非表示にする領域以外の領域を使用して表示情報を表示することができる。また、アスペクト比を固定した表示することでスキャナ使用前の状態を維持した表示ができ、表示が崩れることが無く表示品質を保つことができる。
【００２０】
請求項６に記載の発明によれば、表示制御部が、液晶表示パネルにおける導光板の第二の領域に対応する領域へアスペクト比を固定して表示情報を縮小表示させた際に、当該領域の表示情報が表示されている領域以外の領域にはイメージセンサによるスキャン情報を表示させるので、アスペクト比を固定したことによって余った領域を有効活用することができる。
【００２１】
請求項７に記載の発明によれば、表示制御部が、イメージセンサ動作時には、液晶表示パネルにおける導光板の第二の領域に対応する領域全体に表示情報を表示させるので、スキャナ使用時に非表示にする領域以外の残った領域を最大限利用して表示することができる。
【００２２】
請求項８に記載の発明によれば、発光部が発する光を受光する光センサ素子が、挿入口とイメージセンサの間に設けられ、光センサ素子の受光レベルの低下が検知された場合には、発光制御部および表示制御手段を自動的にスキャナ使用モードに切り替える切替制御部がさらに設けられているので、原稿を挿入口から挿入するだけでスキャナ使用モードに切り替えることができる。
【図面の簡単な説明】
【００２３】
【図１】本発明の一実施形態にかかるスキャナ付き液晶ディスプレイの正面図である。
【図２】図１に示されたスキャナ付き液晶ディスプレイの側面図である。
【図３】図１に示されたスキャナ付き液晶ディスプレイのブロック図である。
【図４】図１に示されたスキャナ付き液晶ディスプレイの分割導光板の正面図である。
【図５】図４に示された分割部を含む拡大図である。
【図６】図４に示された分割導光板の他の例を示した正面図である。
【図７】図１に示されたスキャナ付き液晶ディスプレイの光センサ素子の動作説明図である。
【図８】図１に示されたスキャナ付き液晶ディスプレイの動作を示したフローチャートである。
【図９】図１に示されたスキャナ付き液晶ディスプレイのスキャナ使用時の表示例を示した正面図である。
【図１０】図１に示されたスキャナ付き液晶ディスプレイのスキャナ使用時の表示例を示した正面図である。
【図１１】図１に示されたスキャナ付き液晶ディスプレイのスキャナ使用時の表示例を示した側面図である。
【図１２】図１に示されたスキャナ付き液晶ディスプレイのスキャナ使用時の他の実施形態を示した側面図である。
【図１３】図１２に示された側面図の要部拡大図である。
【発明を実施するための形態】
【００２４】
以下、本発明の一実施形態を、図１ないし図１１を参照して説明する。図１は、本発明の一実施形態にかかるスキャナ付き液晶ディスプレイの正面図である。図２は、図１に示されたスキャナ付き液晶ディスプレイの側面図である。図３は、図１に示されたスキャナ付き液晶ディスプレイのブロック図である。図４は、図１に示されたスキャナ付き液晶ディスプレイの分割導光板の正面図である。図５は、図４に示された分割部を含む拡大図である。図６は、図４に示された分割導光板の他の例を示した正面図である。図７は、図１に示されたスキャナ付き液晶ディスプレイの光センサ素子の動作説明図である。図８は、図１に示されたスキャナ付き液晶ディスプレイの動作を示したフローチャートである。図９は、図１に示されたスキャナ付き液晶ディスプレイのスキャナ使用時の表示例を示した正面図である。図１０は、図１に示されたスキャナ付き液晶ディスプレイのスキャナ使用時の表示例を示した正面図である。図１１は、図１に示されたスキャナ付き液晶ディスプレイのスキャナ使用時の表示例を示した側面図である。
【００２５】
図１ないし図３に本発明の一実施形態にかかるスキャナ付き液晶ディスプレイ１を示す。図１ないし図３に示したスキャナ付き液晶ディスプレイ１は、ケース２と、液晶表示パネル３と、分割導光板４と、発光部５と、イメージセンサ素子６と、光センサ素子７と、原稿搬送ローラ８と、切替部１０と、制御部１１と、映像処理部１２と、メモリ１３と、ＬＣＤ制御部１４と、光源駆動部１５と、を備えている。
【００２６】
ケース２は、樹脂などによって薄型の略箱状に形成され、液晶表示パネル３、分割導光板４、発光部５、イメージセンサ素子６、光センサ素子７、原稿搬送ローラ８や、切替部１０、制御部１１、映像処理部１２、メモリ１３、ＬＣＤ制御部１４、光源駆動部１５などが設けられている回路基板等を収容するとともに、設置した際に使用者と相対する面に液晶表示パネル３の表示面が露出する開口が設けられており、当該開口の下部には原稿排出口としてのスリット２ｂが設けられ、ケース２の上部には原稿挿入口としてのスリット２ａが設けられている。また、スリット２ａとスリット２ｂとは原稿搬送部２ｃによってケース２内を貫通して接続されており、スキャナ使用時に読み取られる原稿は、スリット２ａから原稿搬送部２ｃを通ってスリット２ｂから排出される。
【００２７】
液晶表示パネル３は、ガラス基板に挟まれた液晶と偏光フィルタ、カラーフィルタなどから構成されており、後述するＬＣＤ制御部１４からの制御に基づいて画像や文字などの表示情報を表示する。
【００２８】
分割導光板４は、液晶表示パネル３の背面に設けられ、後述する発光部５からの光を放射状に拡散させるとともに液晶表示パネル３に導く。また、分割導光板４は、図４ないし図６に示すように、第一の領域としての表示兼スキャナ用導光領域４ａおよび第二の領域としての表示用導光領域４ｂの２つに分割部４ｃによって分割されている。
【００２９】
表示兼スキャナ用導光領域４ａは、イメージセンサ素子６の配設されている一端面側の領域であり、表示用導光領域４ｂは、導光板４の表示兼スキャナ用導光領域４ａ以外の領域である。また、分割部４ｃは、図５に示したように、表示兼スキャナ用導光領域４ａに入射した光（図５の矢印）と表示用導光領域４ｂとに入射した光（図５の矢印）とが互いの領域に漏れないように（互いの影響が少なくなるように）するために設けられており、例えば、表示兼スキャナ用導光領域４ａと表示用導光領域４ｂとをそれぞれ別の導光板として構成してその間に遮光板を挟むことで形成してもよいし、表示兼スキャナ用導光領域４ａを構成する導光板と表示用導光領域４ｂを構成する導光板の２つの導光板の端面に加工を施すことで光が漏れずに反射するような特殊な光学系を形成してもよい。
【００３０】
また、分割導光板４は、表示兼スキャナ用導光領域４ａおよび表示用導光領域４ｂの２つに限らず、図６に示すように各領域をさらに分割してもよい。
【００３１】
発光部５は、Ｒ（赤）Ｇ（緑）Ｂ（青）それぞれの単色ＬＥＤ（発光ダイオード）を纏めたものを一つとして構成されている。各単色ＬＥＤは導光板４内で放射状に拡散された際に十分に混ざり合うことで白色光となる。そして、発光部５は、複数が分割導光板４の背面に設けられている（或いは導光板４の内部に設けてもよい）。本実施形態では図４ないし図６に示したように二次元方向にｍ行ｎ列に配列されている（ｍ、ｎはともに２以上の整数）。また、複数の発光部５は、表示兼スキャナ用導光領域４ａに入射するように設けられた少なくとも一つ以上の表示兼スキャナ用発光部５ａと、表示用導光領域４ｂに入射するように設けられた少なくとも一つ以上が表示用発光部５ｂと、から構成されている。即ち、表示兼スキャナ用発光部５ａが第一発光部、表示用発光部５ｂが第二発光部に相当する。
【００３２】
イメージセンサ素子６は、分割導光板４の表示兼スキャナ用導光領域４ａ側の端面に配設され、例えば、特許文献１に記載されているような密着型のイメージセンサで構成されており、スキャナ使用モードでは、表示兼スキャナ用発光部５ａで拡散される光を利用して原稿を読み取る。
【００３３】
光センサ素子７は、発光部５からの光を受光するか否かによって原稿搬送部２ｃを搬送されてきた原稿の有無を検出するセンサであり、原稿搬送部２ｃのスリット２ａとイメージセンサ素子６の間に設けられている。したがって、原稿搬送部２ｃは少なくとも光センサ素子７に発光部５の光が届くことように形成され、例えば、孔や窓などが設けられている。つまり、図７に示すように発光部５から出射した光（矢印）が原稿１００によって光センサ素子７に入射することが妨げられると光センサ素子７は非受光を示す信号（例えばＬｏｗレベル）を出力し、発光部５から出射した光が原稿１００によって妨げられずに光センサ素子７に入射すると光センサ素子７は受講を示す信号（例えばＨｉｇｈレベル）を出力する。
【００３４】
原稿搬送ローラ８は、原稿搬送部２ｃを搬送されてきた原稿をスリット２ｂに向かって搬送するためのローラであり、図示しないモータ等で駆動される。
【００３５】
切替制御部としての切替部１０は、光センサ素子７からの信号を受信し、発光部５からの光を受光していないとの信号を受信した場合は制御部１１に対してスキャナ使用モードへの切替信号を出力する。
【００３６】
表示制御部としての制御部１１は、スキャナ付き液晶ディスプレイ１の全体制御を司り、切替部１０からの切替信号に基づいてスキャナ機能を起動してイメージセンサ素子６を動作させたり、映像処理部１２に対してスキャナ使用時の液晶表示パネル３の表示領域（表示形態）の切り替えや発光部５の発光制御の切り替えを指示する。
【００３７】
映像処理部１２は、制御部１１から制御に基づいて外部から供給される表示情報をＬＣＤ制御部１４に出力したり、イメージセンサ素子６から読み取られた原稿のイメージデータをメモリ１３に格納したりする。また、映像処理部１２は、スキャナ使用モード時における表示情報の縮小処理や、ＬＣＤ制御部１４に発光部５の発光制御の切り替え信号も出力する。
【００３８】
メモリ１３は、イメージセンサ素子６で読み取られたイメージデータが一時的に格納される記憶手段であり、例えばＲＡＭなどで構成される。
【００３９】
ＬＣＤ制御部１４は、映像処理部１２からの制御に基づいて液晶表示パネル３に表示情報を表示させたり、光源駆動部１５に発光部５の発光制御の切り替え信号を出力する。
【００４０】
発光制御部としての光源駆動部１５は、発光部５の発光制御を行い、表示兼スキャナ用発光部５ａ、表示用発光部５ｂ毎に異なる制御が可能となっている。なお、光源駆動部１５は、表示兼スキャナ用発光部５ａ、表示用発光部５ｂ毎に限らず各発光部５毎に個別に制御を行ってもよい。
【００４１】
次に、上述した構成のスキャナ付き液晶ディスプレイ１の動作を図８のフローチャートを参照して説明する。
【００４２】
まず、ステップＳ１においてスキャナを使用しているか否かを判断し、使用している場合（ＹＥＳの場合）はステップＳ６に進み、使用していない場合（ＮＯの場合）はステップＳ２に進む。本ステップでは例えば使用者がスリット２ａから原稿を挿入して光センサ素子７が、その原稿を検出したか否かで判断する。即ち、本ステップの判断によって、ディスプレイ単独使用モードおよびスキャナ使用モードのいずれかのモードへの切り替えが行われる。
【００４３】
次に、ステップＳ２において、切替部１０から制御部１１にスキャナは使用していないことを通知してステップＳ３に進む。本ステップでは、ステップＳ１において、光センサ素子７が原稿を検出していないためスキャナ使用モードではない、つまり、ディスプレイ単独使用モードであることを示す信号を切替部１０から受信する。
【００４４】
次に、ステップＳ３において、制御部１１が液晶表示パネル３の全領域をディスプレイ用（表示情報表示用）として使用するように映像処理部１２を制御し、映像処理部１２では外部から入力された表示情報を液晶表示パネル３の全領域に表示されるように表示データや制御信号を生成出力してＬＣＤ制御部１４に出力しステップＳ４に進む。
【００４５】
次に、ステップＳ４において、ＬＣＤ制御部では、映像処理部１２から受信したデータや制御信号に基づいて液晶表示パネル３に表示情報を表示するとともに、光源駆動部１５に発光部５の制御信号を出力してステップＳ５に進む。
【００４６】
次に、ステップＳ５において、光源駆動部１５が受信した制御信号に基づいて全ての発光部５を液晶ディスプレイのバックライトとしての制御を行いステップＳ１に戻る。
【００４７】
ステップＳ６においては、切替部１０から制御部１１にスキャナは使用していることを通知してステップＳ７に進む。本ステップでは、ステップＳ１において、光センサ素子７が原稿を検出したためスキャナ使用モードであることを示す信号を切替部１０から受信する。
【００４８】
次に、ステップＳ７において、液晶表示パネル３に表示する表示情報の縮小画像（縮小表示）について、アスペクト比を固定とする否かを判断し、アスペクト比を固定とする場合（ＹＥＳの場合）はステップＳ９に進み、固定としない場合（ＮＯの場合）はステップＳ８に進む。本ステップにおける判断は、例えば、予めどちらの表示にするかを設定するようにしてもよいし、本ステップ実行時に液晶表示パネルにいずれの表示にするかを選択させる画面を表示して使用者に選択させてもよい。
【００４９】
次に、ステップＳ８において、制御部１１が、液晶表示パネル３の一部の領域をスキャナ用に使用し、残りの全領域をディスプレイ用として使用するように映像処理部１２を制御し、映像処理部１２では表示情報の表示範囲（アスペクト比）を、前記した残りの全領域に表示されるように調整してその表示データおよび制御信号等をＬＣＤ制御部１４に出力する。図９に本ステップにおける表示例を示す。図９において、スキャナ用として使用する液晶表示パネル３の一部の領域はイメージセンサ素子６が設けられている画面下方側の領域３ａであり、ディスプレイ用として使用する領域は前記領域３ａ以外の領域３ｂとなる。即ち、領域３ａが液晶ディスプレイ３における第一の領域に対応する領域、領域３ｂが液晶ディスプレイ３における第二の領域に対応する領域に相当する。
【００５０】
一方、ステップＳ９においては、制御部１１が、液晶表示パネル３の一部の領域をスキャナ用に使用し、残りの領域の一部をディスプレイ用、さらに余った領域をスキャン情報表示用として使用するように映像処理部１２を制御し、映像処理部１２では表示情報のアスペクト比を維持したまま領域３ａを除いた領域に表示されるように調整するとともに、スキャン情報を生成して残りの領域に表示されるようにして、表示情報とスキャン情報を合わせた表示データおよび制御信号等を生成してＬＣＤ制御部１４に出力する。図１０に本ステップにおける表示例を示す。図１０において、スキャナ用として使用する液晶表示パネル３の一部の領域はイメージセンサ素子６が設けられている画面下方側の領域３ａであり、ディスプレイ用として使用する領域は前記領域３ａの上方側の領域３ｂ´であり、スキャン情報表示用として使用する領域は前記領域３ｂ´の画面上向かって右側の領域３ｃである。即ち、領域３ｃが表示情報が表示されている領域以外の領域に相当する。また、領域３ｂ´に表示された表示情報はアスペクト比を維持したまま（固定したまま）縮小されている。なお、スキャン情報とは、例えば、スキャン解像度などの読み取り条件やサムネイル画像などのスキャナ機能に関する情報である。
【００５１】
次に、ステップＳ１０において、ＬＣＤ制御部１４では、映像処理部１２から受信した制御信号に基づいてスキャナ用として使用する領域は黒ベタ表示とし、残りの領域は、表示情報やスキャン情報などを表示するとともに、光源駆動部１５に発光部５の制御信号を出力してステップＳ５に進む。前記した黒ベタ表示は、図９や図１０に示したように領域３ａを黒く表示することである。即ち、領域３ａを黒く表示することで、液晶表示パネル３表面から光が漏れないようにする遮光手段として機能させている。このようにすることによって図１１の側面図に示したように、スキャナ用の光量に制御されている表示兼スキャナ用発光部５ａから出射された光が液晶表示パネル３を通して外部に漏れないようにすることができる。
【００５２】
次に、ステップＳ１１において、光源駆動部１５が受信した制御信号に基づいて、表示兼スキャナ用発光部５ａをスキャナ使用時に必要な光量が得られるようにするとともに、表示用発光部５ｂを液晶ディスプレイ使用時にバックライトとして必要な光量が得られるようにそれぞれ独立して制御を行いステップＳ１２に進む。
【００５３】
次に、ステップＳ１２において、イメージセンサ素子６に発光部５からの光を供給し、スキャナ動作を実行させ、取得したデータ（読み取ったイメージデータ）をメモリ１３に蓄積（格納）させてステップＳ１に戻る。
【００５４】
本実施形態によれば、導光板４を表示兼スキャナ用導光領域４ａおよび表示用導光領域４ｂの二つの領域から構成し、複数の発光部５を二つの領域に合わせて表示兼スキャナ用発光部５ａおよび表示用発光部５ｂに分けて発行制御することが可能となっているため、スキャナ（イメージセンサ素子６）動作時には表示兼スキャナ用導光領域４ａに対応する表示兼スキャナ用発光部５ａをスキャナに合わせた発光制御を行い、表示用発光部５ｂは液晶ディスプレイのバックライトとしての制御を行うことで、それぞれの機能に合わせた適切な光量を得ることができる。
【００５５】
また、液晶表示パネルにおける表示兼スキャナ用導光領域４ａに対応する領域３ａを黒ベタ表示にすることによって、フルカラースキャンを実現するために発光部５を構成するＲＧＢ単色ＬＥＤを順次点灯させる等のような動作をしても液晶ディスプレイ上の表示に問題を与えることはない。即ち、スキャナ用の発光により液晶ディスプレイとして不適切な表示となる可能性のある領域３ａを使用者から見えないようにすることで液晶ディスプレイとしての表示を損なうことなく、液晶表示パネル３の制御のみで遮光手段を構成することができる。
【００５６】
また、スキャナ使用時には、液晶表示パネル３における導光板４の表示用導光領域４ｂに対応する領域３ｂ´へアスペクト比を固定して表示情報を縮小表示させるので、スキャナ使用時に非表示にする領域以外の領域を使用して表示情報を表示することができる。また、アスペクト比を固定した表示をすることでスキャナ使用前の状態を維持した表示ができ、表示が崩れることが無く表示品質を保つことができる。
【００５７】
また、液晶表示パネル３における導光板の表示用導光領域４ｂに対応する領域３ｂへアスペクト比を固定して表示情報を縮小表示させた際に、液晶表示パネル３の領域３ｂ以外の領域３ｃにはイメージセンサ素子６によるスキャン情報を表示させるので、アスペクト比を固定したことによって余った領域を有効活用することができる。
【００５８】
また、スキャナ使用時には、液晶表示パネル３における導光板４の表示用導光領域４ｂに対応する領域３ｂ全体に表示情報を表示させるようにしてもよい。この場合、スキャナ使用時に非表示にする領域以外の残った領域を最大限利用して表示することができる。
【００５９】
なお、上述した実施形態では遮光手段として黒ベタ表示にしていたが、図１２および図１３に示すように、液晶表示パネル３の領域３ａの前面に遮光板２０を配置することで、液晶ディスプレイとして不適切な表示となる可能性のある領域３ａの表示を行わないようにしてもよい。この遮光板２０は、図１３に示すようにスキャナ未使用時にはスリット２ｂを隠すような位置に位置付けられており、スキャナ使用時には領域３ａの前面に移動（スライド）するように構成されている。この遮光板２０の移動は手動であってもよいし、光センサ素子７が原稿を検出した際にモータなどによりスライド機構が駆動されて自動的に移動するようにしてもよい。或いは、遮光板２０は取り外し可能とし、スキャナ使用時には液晶表示パネル３の領域３ａの前面に取り付けるようにしてもよい。
【００６０】
なお、本発明は上記実施形態に限定されるものではない。即ち、本発明の骨子を逸脱しない範囲で種々変形して実施することができる。
【符号の説明】
【００６１】
１          スキャナ付き液晶ディスプレイ
２          ケース
２ａ        スリット（挿入口）
２ｂ        スリット（排出口）
３          液晶表示パネル
３ａ        領域（遮光手段、第一の領域に対応する領域）
３ｂ        領域（第二の領域に対応する領域）
３ｃ        領域（表示情報が表示されている領域以外の領域）
４          分割導光板（導光板）
４ａ        表示兼スキャナ用導光領域（第一の領域）
４ｂ        表示用導光領域（第二の領域）
４ｃ        分割部
５          発光部
５ａ        表示兼スキャナ用発光部（第一発光部）
５ｂ        表示用発光部（第二発光部）
６          イメージセンサ素子（イメージセンサ）
７          光センサ素子
１０        切替部（切替制御部）
１１        制御部（表示制御部）
１５        光源駆動部（発光制御部）
２０        遮光板（遮光手段）
１００      原稿
【先行技術文献】
【特許文献】
【００６２】
【特許文献１】特開２００１−７７９７７号公報
【図１】
2012161008.tif 000003
【図２】
2012161008.tif 000004
【図３】
2012161008.tif 000005
【図４】
2012161008.tif 000006
【図５】
2012161008.tif 000007
【図６】
2012161008.tif 000008
【図７】
2012161008.tif 000009
【図８】
2012161008.tif 000010
【図９】
2012161008.tif 000011
【図１０】
2012161008.tif 000012
【図１１】
2012161008.tif 000013
【図１２】
2012161008.tif 000014
【図１３】
2012161008.tif 000015